(57)【特許請求の範囲】
【請求項１】
吹出口（１３）の形成されたケーシング（１１）と、
前記ケーシング内に配置されており、前記吹出口からの空気の吹き出しを、前記ケーシングの正面側に向かわせる第１風向と、前記ケーシングの側面側に向かわせる第２風向とに切り替え可能な垂直羽根（２０）と、
前記吹出口から吹き出された空気流れを調整する水平羽根（３０）と、
を備え、
前記水平羽根の案内面（３０ａ）には、突起部（３３）が設けられており、
前記突起部は、前記吹出口からの空気の吹き出しが前記第１風向である場合には、空気流れが側方に拡がらないように規制し、かつ、前記吹出口からの空気の吹き出しが前記第２風向である場合には、前記突起部の頂部（３３ａ）よりも前記水平羽根の側端（３０ｂ）側に流れた空気流れが側方に拡がるように規制する、
空調室内機（１０）。
【請求項２】
前記垂直羽根は、前記吹出口の長手方向に並んで配置される複数の羽根（２２）を有し、
前記複数の羽根のうち少なくとも端部に配置されている羽根が前記第２風向の時に採る姿勢の案内面（２２ａ）を前記水平羽根に向かって延ばした仮想延長面と、前記水平羽根の案内面との交線は、前記頂部、或いは、前記頂部よりも前記水平羽根の側端側に位置する、
請求項１に記載の空調室内機。
【請求項３】
前記突起部は、前記頂部から前記水平羽根の中央側に延びる第１傾斜面（３３ｂ）を含む、
請求項１又は２に記載の空調室内機。
【請求項４】
前記突起部は、前記頂部から前記水平羽根の側端側に延びる第２傾斜面（３３ｃ）を含み、
前記第２傾斜面は、凹状に湾曲している、
請求項１から３のいずれか１項に記載の空調室内機。
【請求項５】
前記水平羽根は、前記ケーシングに対して外側に迫り出すように駆動され、前記吹出口の前方に配置される、
請求項１から４のいずれか１項に記載の空調室内機。
【発明の詳細な説明】
【技術分野】
【０００１】
本発明は、空調室内機に関する。
【背景技術】
【０００２】
従来より、吹出口から吹き出された空気流れを調整する水平羽根を備える空調室内機において、空調室内機の正面側だけでなく側面側に向かって空気を吹き出すことが可能なものがある。例えば、特許文献１（特開２００６−２９８４号公報）には、本体の正面下部から側面にかけて連続して吹出口が形成されており、吹出口のうち本体の正面下部に形成された部分を覆うことが可能な上下風向板（水平羽根に相当）を備える空調室内機が開示されている。この空調室内機では、吹出口の正面側で上下風向板に所定の姿勢を採らせることで本体の正面側に向かって空気を吹き出させ、上下風向板で吹出口のうち本体の正面下部に形成された部分を閉塞することで、本体の側面側に向かって空気を吹き出させている。
【発明の概要】
【発明が解決しようとする課題】
【０００３】
ところで、特許文献１では、上下風向板が、略水平方向に延びる板状の部材である。このため、空調室内機の正面側に向かう空気流れのみを形成したい場合であっても、吹出口から吹き出された空気が、上下風向板の案内面に沿って規制されることで、正面側だけでなく側面側にも空気が流れるおそれがある。
【０００４】
そこで、本発明の課題は、吹出口から吹き出された空気を、適切な方向にスムーズに吹き分けることができる空調室内機を提供することにある。
【課題を解決するための手段】
【０００５】
本発明の第１観点に係る空調室内機は、ケーシングと、垂直羽根と、水平羽根と、を備える。ケーシングには、吹出口が形成されている。垂直羽根は、ケーシング内に配置されている。また、垂直羽根は、吹出口からの空気の吹き出しを、第１風向と、第２風向とに切り換え可能である。第１風向とは、吹出口からの空気の吹き出しを、ケーシングの正面側に向かわせる風向のことである。また、第２風向とは、吹出口からの空気の吹き出しを、ケーシングの側面側に向かわせる風向のことである。水平羽根は、吹出口から吹き出された空気流れを調整する。また、水平羽根の案内面には、突起部が設けられている。突起部は、吹出口からの空気の吹き出しが第１風向である場合には、空気流れが側方に拡がらないように規制する。また、突起部は、吹出口からの空気の吹き出しが第２風向である場合には、突起部の頂部よりも水平羽根の側端側に流れた空気流れが側方に拡がるように規制する。
【０００６】
本発明の第１観点に係る空調室内機では、水平羽根の案内面には、吹出口からの空気の吹き出しが第１風向である場合に空気流れが側方に拡がらないように規制し、吹出口からの空気の吹き出しが第２風向である場合に頂部よりも水平羽根の側端側に流れた空気流れが側方に拡がるように規制する突起部が設けられている。このため、吹出口からの空気の吹き出しが第１風向であれば、吹出口からケーシングの正面側に向かって吹き出した空気流れが、水平羽根の突起部によって側方に拡がらないように規制される。この結果、空調室内機の側面側に向かう空気流れが生じるおそれを低減することができる。また、吹出口からの空気の吹き出しが第２風向であれば、吹出口からケーシングの側面側に向かって吹き出した空気流れが、水平羽根の突起部によって側方に拡がるように規制される。この結果、空調室内機の側面側に向かう空気流れを生じさせることができる。したがって、この空調室内機では、空調室内機の正面側に向かう空気流れのみを形成したい場合や空調室内機の側面側に向かう空気流れを形成したい場合に、吹出口から吹き出された空気を、適切な方向にスムーズに吹き分けることができる。
【０００７】
本発明の第２観点に係る空調室内機は、第１観点の空調室内機において、垂直羽根は、吹出口の長手方向に並んで配置される複数の羽根を有する。また、複数の羽根のうち少なくとも端部に配置されている羽根が第２風向の時に採る姿勢の案内面を水平羽根に向かって延ばした仮想延長面と、水平羽根の案内面との交線は、頂部、或いは、頂部よりも水平羽根の側端側に位置する。この空調室内機では、複数の羽根のうち少なくとも端部に配置されている羽根が第２風向の時に採る姿勢の案内面を水平羽根に向かって延ばした仮想延長面と水平羽根の案内面との交線が、頂部或いは頂部よりも水平羽根の側端側に位置しているため、吹出口から突起部の頂部よりも水平羽根の側端側に流れた空気流れを側方に拡がりやすくすることができる。
【０００８】
本発明の第３観点に係る空調室内機は、第１観点又は第２観点の空調室内機において、突起部は、頂部から水平羽根の中央側に延びる第１傾斜面を含む。この空調室内機では、第１傾斜面が頂部から水平羽根の中央側に延びているため、吹出口から頂部近傍に流れてきた空気を第１傾斜面によって水平羽根の中央側に向かうように規制することができる。これにより、吹出口からの空気の吹き出しが第１風向である場合に、空気流れが側方に拡がるおそれを低減することができる。
【０００９】
本発明の第４観点に係る空調室内機は、第１観点から第３観点のいずれかの空調室内機において、突起部は、頂部から水平羽根の側端側に延びる第２傾斜面を含む。また、第２傾斜面は、凹状に湾曲している。この空調室内機では、第２傾斜面が頂部から水平羽根の側端側に延びているため、吹出口から吹き出されて、頂部よりも水平羽根の側端側にある第２傾斜面に流れた空気を、第２傾斜面によって水平羽根の側端側に向かうように規制することができる。さらに、第２傾斜面が凹状に湾曲しているため、吹出口から頂部よりも水平羽根の側端側に流れてきた空気をコアンダ効果によって側方にスムーズに流すことができる。したがって、この空調室内機では、吹出口からの空気の吹き出しが第２風向である場合に、空気流れが側方に拡がりやすくすることができる。
【００１０】
本発明の第５観点に係る空調室内機は、第１観点から第４観点のいずれかの空調室内機において、水平羽根は、ケーシングに対して外側に迫り出すように駆動される。また、水平羽根は、吹出口の前方に配置される。この空調室内機では、水平羽根が吹出口の前方に配置されるため、吹出口から吹き出された空気が水平羽根の案内面に接触することで、空気流れが偏向される。ここで、水平羽根には突起部が設けられているため、吹出口からの空気の吹き出しが第２風向である場合に、水平羽根の案内面において突起部の頂部から水平羽根の側端までの領域に接触した空気が、頂部を乗り越えて水平羽根の中央側に向かうおそれを低減することができる。したがって、水平羽根において突起部から水平羽根の側端までの領域に接触した空気を効果的に側方に案内することができる。
【発明の効果】
【００１１】
本発明の第１観点に係る空調室内機では、吹出口から吹き出された空気を、適切な方向にスムーズに吹き分けることができる。
【００１２】
本発明の第２観点に係る空調室内機では、吹出口から突起部の頂部よりも水平羽根の側端側に流れた空気流れを側方に拡がりやすくすることができる。
【００１３】
本発明の第３観点に係る空調室内機では、吹出口からの空気の吹き出しが第１風向である場合に、空気流れが側方に拡がるおそれを低減することができる。
【００１４】
本発明の第４観点に係る空調室内機では、吹出口からの空気の吹き出しが第２風向である場合に、空気流れが側方に拡がりやすくすることができる。
【００１５】
本発明の第５観点に係る空調室内機では、水平羽根の突起部から水平羽根の側端までの領域に接触した空気を効果的に側方に案内することができる。
【図面の簡単な説明】
【００１６】
【図１】本発明の実施形態に係る室内機の外観斜視図。
【図２】吹出口近傍の部分拡大図。
【図３】室内機の側面図。
【図４】前方吹き出し状態を採る垂直羽根を説明するための図。
【図５】側方吹き出し状態を採る垂直羽根を説明するための図。
【図６】室内機を下側（ケーシングの底面側）から視た図。
【図７】（ａ）水平羽根を案内面側から視た図、（ｂ）水平羽根のVII−VII断面図。
【図８】水平羽根の側面図。
【図９】水平羽根を案内面側から視た斜視図。
【図１０】水平羽根の断面図であって、傾斜部近傍の部分拡大図。
【図１１】水平羽根の突起部近傍を示す図。
【図１２】水平羽根が運転停止姿勢を採った状態の室内機の概略断面図。
【図１３】水平羽根が水平吹き姿勢を採った状態の室内機の概略断面図。
【図１４】水平羽根が下方吹き姿勢を採った状態の室内機の概略断面図。
【図１５】水平羽根が上方吹き姿勢を採った状態の室内機の概略断面図。
【図１６】空気調和機の備える制御部の制御ブロック図。
【図１７】前方吹き冷房モードが実行されている場合の冷気の流れを説明するための図であって、（ａ）室内機を正面側から視た図、（ｂ）室内機を側面側から視た図、（ｃ）室内機を下側から視た図。
【図１８】前方吹き冷房モードが実行されている場合の冷気の流れを説明するための図であって、水平羽根の突起部近傍の部分拡大図。
【図１９】側方吹き冷房モードが実行されている場合の冷気の流れを説明するための図であって、（ａ）室内機を正面側から視た図、（ｂ）室内機を側面側から視た図、（ｃ）室内機を下側から視た図。
【図２０】側方吹き冷房モードが実行されている場合の冷気の流れを説明するための図であって、水平羽根の突起部近傍の部分拡大図。
【発明を実施するための形態】
【００１７】
以下、図面を参照しながら本発明の一実施形態に係る室内機１０（空調室内機に相当）について説明する。なお、以下の実施形態は、本発明の具体例であって、本発明の技術的範囲を限定するものではない。
【００１８】
（１）室内機の概略構成
図１は、運転実行時の室内機１０の外観斜視図である。図２は、運転実行時の室内機１０の部分拡大図である。図３は、運転停止時の室内機１０の側面図である。
【００１９】
室内機１０は、室内の壁面に取り付けられる壁掛型の室内機１０であって、冷房機能や暖房機能を有している。より詳しくは、室内機１０は、室外に設置される室外機９０（図１６参照）と共に空気調和機を構成しており、冷房運転や暖房運転を含む各種運転を行うことが可能である。
【００２０】
さらに、室内機１０は、主として、ケーシング１１と、垂直羽根２０と、水平羽根３０と、制御部６０（図１６参照）と、を備える。
【００２１】
（１−１）ケーシング
ケーシング１１は、水平方向に長い略直方形状を有する。また、ケーシング１１には、室内熱交換器、室内ファン１４及び垂直羽根２０等が収納されている。さらに、ケーシング１１には、吸込口１２と、吹出口１３とが形成されている。吸込口１２は、室内の空気をケーシング１１の内側に取り込むための開口であって、ケーシング１１の上部に（本実施形態では、天面１１ａに）形成されている。
【００２２】
吹出口１３は、ケーシング１１内で調和された空気を、室内に吹き出すための開口であって、室内機１０の下部近傍に室内機１０の長手方向（左右方向）に延びるように形成されている。具体的には、吹出口１３は、ケーシング１１の底面１１ｂに形成されている。また、ケーシング１１の底面１１ｂにおいて、吹出口１３の長手方向に位置する側の端部（端辺）１３ａ，１３ａ近傍の部分１１ｃ，１１ｃには、図２に示すように、滑らかに湾曲した湾曲部１１ｄ，１１ｄが形成されている。湾曲部１１ｄ，１１ｄは、後述する水平羽根３０の突起部３３に含まれる第２面３３ｃや傾斜面３２ａに沿うように湾曲している。
【００２３】
さらに、ケーシング１１内には、吸込口１２から吹出口１３に至る空気流路が形成されている。この空気流路内には、エアフィルタ、室内熱交換器、室内ファン１４、及び、垂直羽根２０等が配置されている。また、この空気流路には、図３に示すように、室内ファン１４から垂直羽根２０を介して吹出口１３に至るまでの流路部分である吹出流路Ａが含まれる。
【００２４】
エアフィルタは、室内熱交換器の上流側に配置されており、ケーシング１１内に取り込まれた室内空気から塵埃を取り除くことができる。
【００２５】
室内熱交換器は、長手方向両端で複数回折り返されてなる伝熱管と、伝熱管に挿通される複数のフィンとからなり、ケーシング１１内に吸い込まれた室内空気と接触することで熱交換を行って調和空気を生成する。また、室内熱交換器は、暖房運転時には凝縮器として機能することで調和空気として暖気を生成し、冷房運転時には蒸発器として機能することで調和空気として冷気を生成する。
【００２６】
室内ファン１４は、モータにより回転駆動される羽根車を有するクロスフローファンである。また、室内ファン１４は、吸込口１２からケーシング１１内に室内空気を吸入し、エアフィルタ及び室内熱交換器を通過させた後に、吹出口１３からケーシング１１外に調和空気を吹き出す空気流れを形成することができる。
【００２７】
（１−２）垂直羽根
図４は、垂直羽根２０が後述する前方吹き出し状態を採っている時の吹出口１３近傍の部分断面を、室内機１０の正面側から視た図である。図５は、垂直羽根２０が後述する側方吹き出し状態を採っている時の吹出口１３近傍の部分断面を、室内機１０の正面側から視た図である。
【００２８】
垂直羽根２０は、上述のように吹出流路Ａに配置されており、吹出口１３から吹き出される調和空気の左右方向の風向（空気流れ）を調整する。また、垂直羽根２０は、複数の（本実施形態では２つの）垂直羽根群２１，２１から構成されている。垂直羽根群２１，２１は、吹出口１３の長手方向に並んで配置される複数の羽根２２と、複数の羽根２２が連結されている連結棒２３と、連結棒２３を駆動させる駆動機構２４とを有する。駆動機構２４が連結棒２３を駆動させることで、連結棒２３によって連結された複数の羽根２２が同時に同方向へ揺動する。具体的には、連結棒２３によって連結された複数の羽根２２の面２２ａが、図４に示すように、ケーシング１１の長手方向に対して直交する方向に延びた状態となったり、図５に示すように、ケーシング１１の長手方向に直交する方向に対して左又は右に揺動した後に任意の角度で止まった状態となったりする。
【００２９】
なお、以下より、説明の便宜上、複数の羽根２２の面２２ａがケーシング１１の長手方向に対して直交する方向に延びた状態となったときの垂直羽根２０の状態を、前方吹き出し状態といい、複数の羽根２２の面２２ａがケーシング１１の長手方向に直交する方向に対して左又は右に揺動した後に任意の角度で止まった状態となったときの垂直羽根２０の状態を、側方吹き出し状態という。
【００３０】
垂直羽根２０が前方吹き出し状態を採る場合、吹出流路Ａを流れてきた調和空気は、羽根２２の面２２ａに沿って流れ、主に、吹出口１３の前方（正面側）に向かって吹き出される。この結果、垂直羽根２０が前方吹き出し状態を採る場合、吹出口１３からの空気の吹き出し方向が、ケーシング１１の正面側すなわち室内機１０の正面側（前側）に向かう方向（第１風向に相当）となる。また、垂直羽根２０が側方吹き出し状を採る場合、吹出流路Ａを流れてきた調和空気は、羽根２２の面２２ａに沿って流れ、吹出口１３の前方（正面側）及び左右側方に吹き出される。この結果、垂直羽根２０が、側方吹き出し状を採る場合には、前方吹き出し状態を採る場合と比較して、吹出口１３からの空気の吹き出し方向が、ケーシング１１の側面１１ｅ側に向かう方向すなわち室内機１０の側方（第２風向に相当）となる。
【００３１】
このように、垂直羽根２０は、前方吹き出し状態や側方吹き出し状を採ることで、吹出口１３からの空気の吹き出し方向（風向）を切り替えることができる。
【００３２】
（１−３）水平羽根
図６は、底面側から見た室内機１０の概略図である。図７、図８及び図９は、水平羽根３０の構成を説明するための図である。
【００３３】
水平羽根３０は、略水平方向に延びる板状の部材であって、吹出口１３の略全部を覆うことが可能である。また、水平羽根３０は、ケーシング１１に対して外側に迫り出すように駆動されて、吹出口１３のよりも空気流れ下流側に配置された所定の姿勢を採る。このため、吹出口１３から吹き出された調和空気が水平羽根３０に接触することで、調和空気の上下方向の空気流れが調整される。ここで、本実施形態では、図６に示すように、水平羽根３０の長手方向の寸法Ｌ２が、吹出口１３の長手方向の寸法Ｌ１よりも長いことから、吹出口１３から吹き出された調和空気が所定方向に向かうように調和空気の流れを規制しやすくなっている。なお、以下より、説明の便宜上、水平羽根３０において、吹出口１３から吹き出された調和空気を規制する側の面すなわち調和空気と接触する側の面を案内面３０ａという。また、水平羽根３０の案内面３０ａは、図７及び図８に示すように、主面部３１と、傾斜部３２と、突起部３３と、を有する。
【００３４】
主面部３１は、図７及び図８に示すように、水平羽根３０の中央領域を占める部分であって、水平羽根３０が後述する運転停止姿勢を採る場合に、主に、吹出口１３の開口面に対向するように位置する部分である。また、主面部３１は、吹出口１３の開口面積と略同一の面積を有する略平坦な主面３１ａを含む。
【００３５】
傾斜部３２は、図７、図８及び図９に示すように、水平羽根３０の左右両側方領域を占める部分である。言い換えると、傾斜部３２は、水平羽根３０の左右の側端部３０ｂ，３０ｂ近傍に、すなわち、主面部３１よりも水平羽根３０の左右の側端部３０ｂ側に位置している。また、傾斜部３２は、主面３１ａに対して傾斜した傾斜面３２ａを含む。傾斜面３２ａは、傾斜部３２近傍の部分拡大図である図１０に示すように、水平羽根３０の中央側から側端部３０ｂ側に向かって迫り上がるように設けられた連続した曲面である。傾斜面３２ａは、吹出口１３から左右方向に、すなわち、室内機１０の側方に、調和空気が吹き出される時に、吹き出された調和空気を、傾斜面３２ａの傾斜方向（水平羽根３０の延びる方向に対して斜め上方向）に規制するための面である。なお、傾斜面３２ａは、室内機１０の平面視において、吹出口１３の端部１３ａ，１３ａよりも側方に位置している。また、傾斜面３２ａの曲率半径は、１０ｍｍ以上であることが好ましく、傾斜面３２ａの幅方向（左右方向）の寸法は、５ｍｍ以上であることが好ましい。
【００３６】
突起部３３は、図７、図８及び図９に示すように、傾斜部３２よりも水平羽根３０の中央側に設けられている。また、突起部３３は、所定の縦断面が略三角形状を呈しており、水平羽根３０の前端部３０ｃに最も近い部分が最も肉厚であり、水平羽根３０の後端部３０ｄに向かうにつれて徐々に厚みが小さくなるように設けられている。さらに、突起部３３は、突起部３３近傍の部分拡大図である図１１に示すように、頂部３３ａと、第１面３３ｂと、第２面３３ｃと、を含む。
【００３７】
頂部３３ａは、水平羽根３０が後述する運転停止姿勢を採った状態の室内機１０を平面視した場合に、吹出口１３の端部１３ａ，１３ａよりも側方（左右方向外側）に位置している。第１面３３ｂは、頂部３３ａから水平羽根３０の中央側に向かって延びる傾斜した面である。第２面３３ｃは、頂部３３ａから傾斜面３２ａ側、すなわち、水平羽根３０の側端部３０ｂ側に向かって延びる傾斜した面である。なお、本実施形態では、第１面３３ｂ及び第２面３３ｃは、凹状に湾曲した曲面であるが、これに限定されず、傾斜していれば曲面でなくてもよい。
【００３８】
また、本実施形態では、垂直羽根２０が前方吹き出し状態を採り、水平羽根３０が後述する水平吹き姿勢を採った状態では、垂直羽根２０の有する複数の羽根２２のうち最も左右端部に配置されている羽根２２の面２２ａを水平羽根３０に向かって延ばした仮想延長面と、水平羽根３０の案内面３０ａとの交線Ｉ１は、頂部３３ａよりも水平羽根３０の中央側に位置し、垂直羽根２０が側方吹き出し状態を採り、水平羽根３０が後述する水平吹き姿勢を採った状態では、垂直羽根２０の有する複数の羽根２２のうち最も左右端部に配置されている羽根２２の面２２ａを水平羽根３０に向かって延ばした仮想延長面と、水平羽根３０の案内面３０ａとの交線Ｉ２は、頂部３３ａよりも水平羽根３０の側端部３０ｂ側の第２面３３ｃに位置する（図１１参照）。なお、これに限定されず、垂直羽根２０が側方吹き出し状態を採り、水平羽根３０が後述する水平吹き姿勢を採った状態において、垂直羽根２０の有する複数の羽根２２のうち最も左右端部に配置されている羽根２２の面２２ａを水平羽根３０に向かって延ばした仮想延長面と、水平羽根３０の案内面３０ａとの交線が、頂部３３ａに位置していてもよい。また、垂直羽根２０が側方吹き出し状態を採り、水平羽根３０が後述する水平吹き姿勢を採った状態において、垂直羽根２０の有する複数の羽根２２のうち少なくとも左右端部に配置されている羽根２２の面２２ａを水平羽根３０に向かって延ばした仮想延長面と、水平羽根３０の案内面３０ａとの交線が、頂部３３ａよりも水平羽根３０の側端部３０ｂ側に、或いは、頂部３３ａに位置していればよく、例えば、垂直羽根２０が側方吹き出し状態を採り、水平羽根３０が後述する水平吹き姿勢を採った状態において、複数の羽根２２のうちの左右端部から１つ中央側に配置されている羽根２２の面２２ａを水平羽根３０に向かって延ばした仮想延長面と、水平羽根３０の案内面３０ａとの交線が、頂部３３ａよりも水平羽根３０の側端部３０ｂ側に、或いは、頂部３３ａに位置していてもよい。
【００３９】
水平羽根３０の前端部３０ｃが後端部３０ｄよりも空気流れ下流側に位置する場合には、吹出口１３から突起部３３の頂部３３ａ近傍に向かって流れた調和空気は、第１面３３ｂがあることで左右方向（側方）への拡散が妨げられる一方で、第２面３３ｃがあることで左右方向（側方）への拡散が促進される。したがって、例えば、垂直羽根２０が前方吹き出し状態を採る場合には、吹出口１３からケーシング１１の正面側に向かって吹き出されて突起部３３の頂部３３ａよりも水平羽根３０の中央側に流れた空気流れが、第１面３３ｂによって側方に拡がらないように規制され、また、垂直羽根２０が側方吹き出し状を採る場合には、吹出口１３からケーシング１１の側面１１ｅ側に向かって吹き出されて突起部３３の頂部３３ａよりも水平羽根３０の側端部３０ｂ側に流れた空気流れが第２面３３ｃによって側方に拡がるように規制される。
【００４０】
なお、本実施形態では、水平羽根３０の他に、吹出口１３から吹き出された調和空気の流れを補助的に規制する補助羽根１６を備えている。補助羽根１６は、主に、吹出口１３から吹き出された調和空気が水平羽根３０の案内面３０ａに向かうように調和空気を規制する。
【００４１】
また、水平羽根３０の所定の姿勢には、図１２に示すように、吹出口１３が塞がれた運転停止姿勢と、図１、図２、及び、図１３から図１５に示すように、吹出口１３が開放された水平吹き姿勢、前方吹き姿勢、下方吹き姿勢及び上方吹き姿勢とが含まれる。
【００４２】
運転停止姿勢とは、水平羽根３０が、吹出口１３の略全部を覆うように配置された姿勢のことである（図１２参照）。なお、本実施形態では、水平羽根３０が運転停止姿勢を採る場合には、垂直羽根２０の有する羽根２２が水平羽根３０や補助羽根１６に衝突しないように、垂直羽根２０は側方吹き出し状態を採るものとする。
【００４３】
水平吹き姿勢とは、水平羽根３０が、吹出口１３の前方（正面側）に迫り出した状態で、吹出口１３の開口面に対して略平行に配置された姿勢のことである（図１３参照）。
【００４４】
前方吹き姿勢とは、図１及び図２に示すように、水平羽根３０が、吹出口１３の前方（正面側）に迫り出した状態で、後端部３０ｄが前端部３０ｃよりも吹出口１３に近くなるように傾斜して配置された姿勢のことである。
【００４５】
下方吹き姿勢とは、図１４に示すように、水平羽根３０が、吹出口１３の前方（正面側）に迫り出した状態で、前端部３０ｃが後端部３０ｄよりも吹出口１３に近くなるように傾斜して配置された姿勢のことである。
【００４６】
上方吹き姿勢とは、図１５に示すように、水平羽根３０が、吹出口１３の前方（正面側）に迫り出した状態で、下方吹き姿勢を採った場合よりも後端部３０ｄが吹出口１３から離れるように配置された姿勢のことである。
【００４７】
さらに、水平羽根３０は、駆動モータを有する所定の駆動機構によって、その姿勢が変更され、かつ、変更された姿勢が維持される。なお、本実施形態では、ラックアンドピニオン機構を有する駆動機構４０と、リンク機構を有する駆動機構５０とによって、水平羽根３０の姿勢が変更される。具体的には、水平羽根３０の中央部及び左右の側端部３０ｂ，３０ｂに連結されている支持アーム４１，４１，４１（図１参照）が、ラックアンドピニオン機構によって前方向に向かって斜め下方に延びるように移動（迫り出し）たり、それとは逆の方向に移動して収納されたりする。また、水平羽根３０の中央部に連結されている揺動アーム５１，５１が、回動アーム５２，５２と共にリンク機構を構成しており、回動アーム５２，５２が駆動されることにより揺動アーム５１，５１が揺動し、揺動アーム５１，５１と水平羽根３０との連結部３９，３９の位置が吹出口１３に近付いたり離れたりする。
【００４８】
ここで、揺動アーム５１，５１と水平羽根３０との連結部３９，３９の位置は、支持アーム４１，４１，４１と水平羽根３０との連結部３８，３８，３８を結ぶ直線よりも水平羽根３０の後端部３０ｄに近い。このため、回動アーム５２，５２を回動させることによって、水平羽根３０を回動させることができる。また、後述する制御部６０は、ラックアンドピニオン機構による支持アーム４１，４１，４１の迫り出し量と、リンク機構における水平羽根３０の回転角度とを制御することで、水平羽根３０に種々の姿勢を採らせることができる。
【００４９】
例えば、各支持アーム４１，４１，４１の迫り出し量が同じになるようにラックアンドピニオン機構が駆動されると、各支持アーム４１，４１，４１の移動に対して回動アーム５２，５２の回動が追随されることにより、水平羽根３０が平行に移動され、水平羽根３０が水平吹き姿勢を採る。また、水平羽根３０が水平吹き姿勢を採った状態から、さらに、各支持アーム４１，４１，４１が迫り出すようにラックアンドピニオン機構が駆動され、揺動アーム５１，５１が回動アーム５２，５２に対して室内機１０を右側から見て時計回りに回動されると、水平羽根３０の前端部３０ｃが後端部３０ｄよりも下方に移動され、水平羽根３０は前方吹き姿勢を採る。また、水平羽根３０が水平吹き姿勢を採った状態から、各支持アーム４１，４１，４１が迫り出す方向とは逆の方向に移動するようにラックアンドピニオン機構が駆動され、揺動アーム５１，５１が回動アーム５２，５２に対して室内機１０を右側から見て反時計回りに回動されると、水平羽根３０の後端部３０ｄが前端部３０ｃよりも下方に移動され、水平羽根３０が下方吹き姿勢を採る。また、水平羽根３０は下方吹き姿勢を採った状態から、揺動アーム５１，５１が回動アーム５２，５２に対して室内機１０を右側から見て反時計回りにさらに回動されると、水平羽根３０の後端部３０ｄが前端部３０ｃよりも前方に移動され、水平羽根３０が上方吹き姿勢を採る。
【００５０】
（１−４）制御部
制御部６０は、図１６に示すように、室内機１０および室外機９０の各種機器と接続されており、リモートコントローラ８０を介したユーザからの運転指令に基づいて、冷房運転や暖房運転等の各運転に応じた各種機器の運転制御を行う。
【００５１】
また、リモートコントローラ８０には、ユーザが冷房運転や暖房運転等の運転モードを選択ときに操作する運転モード選択スイッチや、ユーザが調和空気の風向を選択するときに操作する風向選択スイッチが設けられている。例えば、ユーザが運転モード選択スイッチを操作することで、冷房モードが選択された場合には、制御部６０は、吹出口１３から調和空気として冷気が吹き出されるように、各種機器の駆動を制御する。また、ユーザによって風向選択スイッチが押されて風向が切り替えられた場合には、制御部６０は、ユーザによって選択された風向となるように、各駆動機構２４，４０，５０の駆動を制御して垂直羽根２０の状態及び水平羽根３０の姿勢を切り替える。
【００５２】
ユーザによって運転モードとして冷房モードが選択され、風向として前方吹きが選択された場合には、制御部６０は、垂直羽根２０の状態が前方吹き状態となるように駆動機構２４の駆動を制御し、かつ、水平羽根３０が前方吹き姿勢を採るように駆動機構４０，５０の駆動を制御する。ユーザによって運転モードとして冷房モードが選択され、風向として側方吹きが選択された場合には、制御部６０は、垂直羽根２０の状態が側方吹き状態となるように駆動機構２４の駆動を制御し、かつ、水平羽根３０が前方吹き姿勢を採るように駆動機構４０，５０の駆動を制御する。ユーザによって運転モードとして冷房モードが選択され、風向として水平吹きが選択された場合には、制御部６０は、垂直羽根２０の状態が側方吹き状態となるように駆動機構２４の駆動を制御し、かつ、水平羽根３０が水平吹き姿勢を採るように駆動機構４０，５０の駆動を制御する。ユーザによって運転モードとして暖房モードが選択され、風向として下方吹きが選択された場合には、制御部６０は、垂直羽根２０の状態が前方吹き状態となるように駆動機構２４の駆動を制御し、かつ、水平羽根３０が下方吹き姿勢を採るように駆動機構４０，５０の駆動を制御する。ユーザによって運転モードとして暖房モードが選択され、風向として前方吹きが選択された場合には、制御部６０は、垂直羽根２０の状態が前方吹き状態となるように駆動機構２４の駆動を制御し、かつ、水平羽根３０が上方吹き姿勢を採るように駆動機構４０，５０の駆動を制御する。
【００５３】
（２）吹出口から吹き出された調和空気の流れ
次に、図を用いて、ユーザによって、運転モードとして冷房モードが選択され、風向として前方吹きが選択された場合（以下、前方吹き冷房モードという）、及び、運転モードとして冷房モードが選択され、風向として側方吹きが選択された場合（以下、側方吹き冷房モードという）における調和空気の流れについて説明する。
【００５４】
（２−１）前方吹き冷房モード時の調和空気の流れ
図１７は、前方吹き冷房モードが実行された場合の調和空気の流れを示す図である。図１８は、前方吹き冷房モードが実行された場合の水平羽根３０の突起部３３近傍の冷気の流れを示す図である。
【００５５】
室内機１０において、前方吹き冷房モードが実行された場合、すなわち、垂直羽根２０が前方吹き状態を採り、かつ、水平羽根３０が前方吹き姿勢を採った状態で、室内ファン１４が駆動されると、吹出口１３に向かって流れる冷気は、吹出口１３の長手方向に対して直交する方向に延びる複数の羽根２２の面２２ａに誘導されることで、ケーシング１１の正面側（前側）に向かって流れ、吹出口１３からケーシング１１外に吹き出される。そして、吹出口１３から吹き出された冷気は、吹出口１３の前方に位置する水平羽根３０に規制されることで、室内機１０の前方に向かって流れる（図１７参照）。
【００５６】
ここで、主面３１ａの長手方向の寸法と吹出口１３の長手方向の寸法とが略等しいため、吹出口１３から吹き出された冷気は、主に、主面３１ａによって規制されて前方に向かって流れる。また、吹出口１３から吹き出された冷気が水平羽根３０の前端部３０ｃ近傍において左右方向（側方）に拡がったとしても、第１面３３ｂが頂部３３ａに向かって迫り上がるように傾斜しているため、第１面３３ｂに至った冷気の流れは、図１８に示すように、第１面３３ｂによって水平羽根３０の中央側に向かうように規制される。したがって、ケーシング１１の正面側に吹き出された冷気の流れが側方に拡がり難くなる。この結果、図１７に示す室内機１０の側方領域Ｘに空気流れが形成されにくくなっている。
【００５７】
なお、ここでは、前方吹き冷房モードが実行された場合の冷気の流れについて説明したが、垂直羽根２０が前方吹き状態を採り、かつ、水平羽根３０の前端部３０ｃが後端部３０ｄよりも空気流れ下流側に位置する場合、例えば、水平羽根３０が水平吹き姿勢を採る場合には、吹出口１３から吹き出されて第１面３３ｂに至った冷気の流れは、第１面３３ｂによって水平羽根３０の中央側に向かうように規制されるため、ケーシング１１の正面側に吹き出された冷気の流れが側方に拡がりにくくなる。
【００５８】
（２−２）側方吹き冷房モード時の調和空気の流れ
図１９は、側方吹き冷房モードが実行された場合の調和空気の流れを示す図である。図２０は、側方吹き冷房モードが実行された場合の水平羽根３０の突起部３３近傍の冷気の流れを示す図である。
【００５９】
室内機１０において、側方吹き冷房モードが実行された場合、すなわち、垂直羽根２０が側方吹き状態を採り、かつ、水平羽根３０が前方吹き姿勢を採った状態で、室内ファン１４が駆動されると、吹出口１３に向かって流れる冷気は、左又は右方向に傾斜した複数の羽根２２の面２２ａに規制されることで、ケーシング１１の側面１１ｅ側に向かって広がるように流れ、吹出口１３からケーシング１１外に吹き出される。そして、吹出口１３から吹き出された冷気は、吹出口１３の前方に位置する水平羽根３０に規制されることで、室内機１０の前方及び左右側方に向かって流れる（図１９参照）。
【００６０】
ここで、水平羽根３０の長手方向（左右方向）の寸法が、吹出口１３の長手方向の寸法よりも長いため、吹出口１３からケーシング１１の側面１１ｅ側、すなわち、室内機１０の側方に向かって吹き出された冷気を、側方に規制しやすくなっている。さらに、第２面３３ｃが凹状に湾曲しているため、吹出口１３から側方に吹き出されて、水平羽根３０において頂部３３ａと水平羽根３０の側端部３０ｂとの間の領域に至った冷気は、図２０に示すように、第２面３３ｃによってさらに側方に向かうように規制される。また、吹出口１３から側方に吹き出された冷気のうち傾斜面３２ａに至った冷気は、傾斜面３２ａに規制されて水平方向に対して斜め上方に向かうため、冷気を水平羽根３０の左右の側端部３０ｂ，３０ｂから側方に離れた位置まで誘導することができる。これにより、従来と比較して、より側方に向かう空気流れを形成することができるため、水平羽根３０の側端部３０ｂ，３０ｂから離れた位置、すなわち、室内機１０の側方の領域に冷気を到達させることができる。
【００６１】
なお、ここでは、側方吹き冷房モードが実行された場合の冷気の流れについて説明したが、垂直羽根２０が側方吹き状態を採り、かつ、水平羽根３０の前端部３０ｃが後端部３０ｄよりも空気流れ下流側に位置する場合、例えば、水平羽根３０が水平吹き姿勢を採る場合には、吹出口１３から吹き出され第２面３３ｃに至った冷気の流れは、第２面３３ｃによって水平羽根３０の側端部３０ｂ側に向かうように規制されるため、ケーシング１１の側面１１ｅ側に吹き出された冷気の流れが側方に拡がりやすくなる。
【００６２】
（３）特徴
（３−１）
本実施形態では、水平羽根３０には、垂直羽根２０が前方吹き出し状態を採る場合に吹出口１３からケーシング１１の正面側に向かって吹き出された空気流れを側方に拡がらないように規制し、垂直羽根２０が側方吹き出し状を採る場合に吹出口１３からケーシング１１の側面１１ｅ側に向かって吹き出されて突起部３３の頂部３３ａよりも水平羽根３０の側端部３０ｂ側に流れた空気流れを側方に拡がるように規制する突起部３３が設けられている。このため、吹出口１３からケーシング１１の正面側に向かって吹き出された空気流れが、突起部３３によって側方に拡がらないように規制される。この結果、室内機１０の側方領域Ｘに向かう空気流れが生じるおそれを低減することができる。また、吹出口１３からケーシング１１の側面１１ｅ側に向かって吹き出した空気流れが、水平羽根３０の突起部３３によって側方に拡がるように規制される。この結果、室内機１０の側方領域Ｘに向かう空気流れを生じさせることができる。したがって、ケーシング１１の正面側、すなわち、室内機１０の正面側にのみ空気流れを形成したい場合やケーシング１１の側面１１ｅ側、すなわち、室内機１０の側方領域Ｘに空気流れを形成したい場合に、突起部３３によって、吹出口１３から吹き出された空気を適切な方向にスムーズに吹き分けることができている。
【００６３】
（３−２）
本実施形態では、垂直羽根２０が側方吹き出し状態を採り、水平羽根３０が水平吹き姿勢を採った状態では、垂直羽根２０の有する複数の羽根２２のうち最も左右端部に配置されている羽根２２の面２２ａを水平羽根３０に向かって延ばした仮想延長面と、水平羽根３０の案内面３０ａとの交線Ｉ２は、頂部３３ａよりも水平羽根３０の側端部３０ｂ側に位置する。このため、吹出口から突起部３３の頂部３３ａよりも水平羽根３０の側端部３０ｂ側に流れた空気流れが側方に拡がりやすくなっている。
【００６４】
（３−３）
本実施形態では、突起部３３が、頂部３３ａから水平羽根３０の中央側に向かって延びる第１面３３ｂを含む。このため、吹出口１３から突起部３３の頂部３３ａ近傍に向かって空気が流れても、第１面３３ｂによって規制されることで、空気流れを左右方向（側方）に拡がり難くすることができる。これにより、ケーシング１１の正面側、すなわち、室内機１０の正面側にのみ空気流れを形成したい場合に、突起部３３の第１面３３ｂによって、吹出口１３から吹き出された空気を室内機１０の正面側に向かわせることができている。
【００６５】
（３−４）
本実施形態では、第２面３３ｃは、頂部３３ａから水平羽根３０の側端部３０ｂ側に向かって延びる湾曲した曲面である。このため、吹出口１３から頂部３３ａよりも水平羽根３０の側端部３０ｂ側に流れてきた空気を、第２面３３ｃによって規制することで、水平羽根３０の側端部３０ｂ側に向かうように規制することができる。また、第２面３３ｃは湾曲した曲面であるため、吹出口１３から頂部３３ａよりも水平羽根３０の側端部３０ｂ側に流れてきた空気を、コアンダ効果によって側方に向かってスムーズに流すことができる。したがって、ケーシング１１の側面１１ｅ側、すなわち、室内機１０の側面側に向かう空気流れを形成したい場合に、突起部３３の第２面３３ｃによって、空気流れが側方に拡がるように規制することができるため、吹出口１３から吹き出された空気を室内機１０の側方領域Ｘに向かわせることができている。
【００６６】
（３−５）
本実施形態では、吹出口１３が開放される場合には、水平羽根３０は、ケーシング１１に対して外側に迫り出すように移動されて吹出口１３の前方に配置される。このため、吹出口１３から吹き出された空気は、水平羽根３０の案内面３０ａに接触することでその流れが偏向される。また、水平羽根３０が前方吹き姿勢、或いは、水平吹き姿勢を採る場合には、吹出口１３からの空気流れ下流側に突起部３３が位置することで、水平羽根３０の案内面３０ａにおいて突起部３３の頂部３３ａよりも中央側の領域に接触した空気が、頂部３３ａを乗り越えて水平羽根３０の側端部３０ｂ側に向かうおそれを低減することができ、また、水平羽根３０の案内面３０ａにおいて突起部３３の頂部３３ａよりも側端部３０ｂ側の領域に接触した空気が、頂部３３ａを乗り越えて水平羽根３０の中央側に向かうおそれを低減することができる。したがって、水平羽根３０において突起部３３から水平羽根３０の側端部３０ｂまでの領域に接触した空気を効果的に側方に案内することができている。
【産業上の利用可能性】
【００６７】
本発明は、吹出口から吹き出された空気を適切な方向にスムーズに吹き分けることができるため、吹出口からの空気の吹き出しが異なる風向に切り替え可能な空調室内機への適用が有効である。
【符号の説明】
【００６８】
１０      室内機（空調室内機）
１１      ケーシング
１３      吹出口
２０      垂直羽根
２２      羽根
２２ａ    面（案内面）
３０      水平羽根
３０ａ    案内面
３０ｂ    側端部（側端）
３３      突起部
３３ａ    頂部
３３ｂ    第１面（第１傾斜面）
３３ｃ    第２面（第２傾斜面）
【先行技術文献】
【特許文献】
【００６９】
【特許文献１】特開２００６−２９８４号公報
【要約】
【課題】吹出口から吹き出された空気を、適切な方向にスムーズに吹き分けることができる空調室内機の提供。
【解決手段】室内機は、吹出口が形成されているケーシングと、ケーシング内に配置されており吹出口からの空気の吹き出し方向を切り替え可能な垂直羽根と、吹出口から吹き出された空気流れを調整する水平羽根３０と、を備える。また、水平羽根３０の案内面３０ａには、突起部３３が設けられている。突起部３３は、吹出口からの空気の吹き出し方向がケーシングの正面側に向かう方向である場合には、空気流れが側方に拡がらないように規制する。また、突起部３３は、吹出口からの空気の吹き出し方向がケーシングの側面側に向かう方向である場合には、突起部３３の頂部３３ａよりも水平羽根３０の側端部側に流れた空気流れが側方に拡がるように規制する。
【選択図】図９【図１】
0005131371.tif 000002
【図２】
0005131371.tif 000003
【図３】
0005131371.tif 000004
【図４】
0005131371.tif 000005
【図５】
0005131371.tif 000006
【図６】
0005131371.tif 000007
【図７】
0005131371.tif 000008
【図８】
0005131371.tif 000009
【図９】
0005131371.tif 000010
【図１０】
0005131371.tif 000011
【図１１】
0005131371.tif 000012
【図１２】
0005131371.tif 000013
【図１３】
0005131371.tif 000014
【図１４】
0005131371.tif 000015
【図１５】
0005131371.tif 000016
【図１６】
0005131371.tif 000017
【図１７】
0005131371.tif 000018
【図１８】
0005131371.tif 000019
【図１９】
0005131371.tif 000020
【図２０】
0005131371.tif 000021